(57)【特許請求の範囲】
【請求項１】
映像信号を所定のパルス期間、所定のＤＣレベルにクランプするクランプ回路と、前記映像信号から同期信号を分離する同期信号分離回路と、前記同期信号分離回路の出力と後述する第１のゲート回路の出力を入力とする第２のゲート回路と、前記第２のゲート回路の出力を入力とし前記第２のゲート回路の出力の立ち上がりまたは立ち下がりをトリガーとして第１の所定の幅のパルスを出力する第１のパルス信号発生器と、ヘッド切り替え信号または低域変換された色信号の位相回転方向を示す信号を入力とし前記ヘッド切り替え信号または低域変換された色信号の位相回転方向を示す信号の立ち上がりと立ち下がりをトリガーとし第２の所定の幅のパルスを出力する第２のパルス信号発生器と、前記第１のパルス信号発生器の出力と前記第２のパルス信号発生器の出力とを入力とする第１のゲート回路と、前記第２のゲート回路の出力を入力とし前記第２のゲート回路の出力の立ち上がりまたは立ち下がりをトリガーとし第３の所定の幅のパルスを出力する第３のパルス信号発生器とを備えたことを特徴とする映像信号処理装置。
【発明の詳細な説明】
【０００１】
【発明の属する技術分野】
本発明は、映像信号を記録再生する映像磁気記録再生装置（以下、ＶＴＲと略す）における映像信号処理装置に関するものである。
【０００２】
【従来の技術】
以下、従来の映像信号処理装置について図面を参照しながら説明する。
【０００３】
図４は従来のＶＴＲのクランプ処理を行う映像信号処理装置の構成を示したブロック図、図５及び図６は図３の各部における信号の波形図である。図４において、１は入力された映像信号を所定のＤＣレベルにクランプするクランプ回路、２はクランプ回路１の出力信号から水平同期信号を分離する同期信号分離回路、７は第３のパルス信号発生器である。
【０００４】
以上のように構成された従来の映像信号処理装置について、以下その動作について説明する。
【０００５】
入力された映像信号は、クランプ回路１で所定のＤＣレベルにクランプされる。クランプ回路１の出力は同期信号分離回路２に入力され、図６（ｂ）に示すような映像信号の同期信号が分離される。同期信号分離回路２の出力同期信号は、図６（ａ）に示す入力映像信号より位相が少し遅れているため、第３のパルス信号発生器７で図６（ｃ）に示すように出力同期信号よりも位相幅の狭いパルスを発生させ、クランプ回路１はそのパルスをクランプパルスとして使用している。
【０００６】
【発明が解決しようとする課題】
しかしながら上記従来の構成では、入力信号に応じた同期信号が出力されるようになっており、図６（ａ）に示すように通常の映像信号に特殊信号が含まれていた場合、クランプ回路１は同期信号から作成される一定幅のパルス（図６（ｃ））をクランプパルスとして使用しているため、特殊信号の擬似同期信号部分がクランプパルスより幅が狭い場合、通常の映像信号の同期信号以外もクランプされ、図６（ｄ）に示すように特殊信号部分の同期信号４１のレベルが、通常の映像信号部分の同期信号のレベルに比べ低下してしまう。このような信号がテレビジョン受像機に入力されると画面の同期が乱れてしまうという問題点がある。
【０００７】
本発明は上記従来の問題点を解決するもので、特殊信号が挿入されている映像信号に対しても正確なクランプ処理を行うことができ、画面の同期を乱すことのない映像信号処理装置を提供することを目的とする。
【０００８】
【課題を解決するための手段】
上記課題を解決するために本発明は、映像信号を所定のパルス期間、所定のＤＣレベルにクランプするクランプ回路と、同期信号分離回路と、前記同期信号分離回路の出力と後述する第１のゲート回路の出力を入力とする第２のゲート回路と、前記第２のゲート回路の出力を入力とし、前記第２のゲート回路の出力の立ち上がりまたは立ち下がりをトリガーとして第１の所定の幅のパルスを出力する第１のパルス信号発生器と、ヘッド切り替え信号または低域変換された色信号の位相回転方向を示す信号を入力とし前記ヘッド切り替え信号または低域変換された色信号の位相回転方向を示す信号の立ち上がりと立ち下がりをトリガーとし第２の所定の幅のパルスを出力する第２のパルス信号発生器と、前記第１のパルス信号発生器の出力と前記第２のパルス信号発生器を入力とする第１のゲート回路と、前記第２のゲート回路の出力を入力とし、前記第２のゲート回路の出力の立ち上がりまたは立ち下がりをトリガーとし第３の所定の幅のパルスを出力する第３のパルス信号発生器とを備えたものである。
【０００９】
この構成によって、特殊信号が挿入されている映像信号に対しても正確なクランプ処理を行うことができ、画面の同期を乱すことのない映像信号処理装置を提供することができる。
【００１０】
【発明の実施の形態】
本発明の請求項１に記載の発明は、映像磁気記録再生装置において、映像信号を所定のパルス期間、所定のＤＣレベルにクランプするクランプ回路と、同期信号分離回路と、前記同期信号分離回路の出力と後述する第１のゲート回路の出力を入力とする第２のゲート回路と、前記第２のゲート回路の出力を入力とし、前記第２のゲート回路の出力の立ち上がりまたは立ち下がりをトリガーとして第１の所定の幅のパルスを出力する第１のパルス信号発生器と、ヘッド切り替え信号または低域変換された色信号の位相回転方向を示す信号を入力とし前記ヘッド切り替え信号または低域変換された色信号の位相回転方向を示す信号の立ち上がりと立ち下がりをトリガーとし第２の所定の幅のパルスを出力する第２のパルス信号発生器と、前記第１のパルス信号発生器の出力と前記第２のパルス信号発生器を入力とする第１のゲート回路と、前記第２のゲート回路の出力を入力とし、前記第２のゲート回路の出力の立ち上がりまたは立ち下がりをトリガーとし第３の所定の幅のパルスを出力する第３のパルス信号発生器とを備え、特殊信号が挿入されている映像信号に対しても正確なクランプ処理を行うことができ、画面の同期を乱すことがないという作用を有する。
【００１１】
以下、本発明の実施の形態について、図面を用いて説明する。
（実施の形態１）
図１は本実施の形態の映像信号処理装置の構成を示したブロック図、図２及び図３は図１のブロック図における各部の波形図である。図１において、１は映像信号を所定のパルス期間、所定のＤＣレベルにクランプするクランプ回路、２はクランプ回路１の出力信号から同期信号を分離する同期信号分離回路、３は同期信号分離回路２の出力信号と後述する第１のゲート回路５の出力信号とを論理積演算する第２のゲート回路で、本実施の形態ではＡＮＤ素子よりなる。４は第２のゲート回路３の出力信号を入力信号とし第２のゲート回路３の出力信号の立ち上がりまたは立ち下がりをトリガーとして第１の所定の幅のパルスを出力する第１のパルス信号発生器であり、出力信号の立ち下がりは１水平同期期間の３／４以上で１水平同期期間未満に設定する。６はヘッド切り換え信号または低域変換された色信号の位相回転方向を示す信号（以下、ロータリースイッチ信号と記す）を入力信号としヘッド切り換え信号またはロータリースイッチ信号の立ち上がりと立ち下がりをトリガーとし第２の所定幅のパルスを出力する第２のパルス信号発生器、５は第１のパルス信号発生器４の出力信号と第２のパルス信号発生器６の出力信号とを否定積演算する第１のゲート回路で、本実施の形態ではＮＡＮＤ素子よりなる。７は第１のゲート回路５の出力信号を入力信号とし第１のゲート回路５の出力信号の立ち上がりまたは立ち下がりをトリガーとし第３の所定の幅のパルスを出力する第３のパルス信号発生器である。
【００１２】
以上のように構成された本実施の形態の映像信号処理装置について、以下その動作について説明する。
【００１３】
入力された映像信号は、クランプ回路１で所定のＤＣレベルにクランプされる。クランプ回路１の出力信号は同期信号分離回路２に入力され、映像信号の同期信号が分離される。図３（ｂ）に示す同期信号分離回路２の出力同期信号は、図３（ａ）に示すような入力される映像信号より位相が少し遅れている状態で、第２のゲート回路３に入力される。
【００１４】
一方、ヘッド切り換え信号または低域変換された色信号の位相回転方向を示す信号（ロータリースイッチ信号）が第２のパルス信号発生器６に入力される。第２のパルス信号発生器６は、入力されるヘッド切り換え信号またはロータリースイッチ信号の立ち上がりと立ち下がりをトリガーとした図２（ｅ）に示すような第２の所定幅のパルスを出力する。第２のパルス発生器６より出力された信号は、第１のゲート回路５に入力される。
【００１５】
第１のゲート回路５には第１のパルス信号発生器４の出力信号（図２（ｄ））も入力され、第２のパルス信号発生器６の出力信号（図２（ｅ））と否定積演算を行う。第１のゲート回路５からは、図３（ｃ）に示すような信号が出力され、第２のゲート回路３に入力される。第２のゲート回路３では、第１のゲート回路５の出力信号（図３（ｃ））と同期信号分離回路２の出力信号（図３（ｂ））とが入力されて論理積演算され、図３（ｄ）に示すような信号が出力される。第２のゲート回路３の出力信号は、第３のパルス信号発生器７へ入力され、第３のパルス信号発生器７は図３（ｅ）に示すように、第２のゲート回路３の出力信号の立ち上がりをトリガーとした第３の所定幅を有するパルスを発生する。この第３のパルス信号発生器７の出力信号をクランプ回路１の制御パルスとして使用する。クランプ回路１は第３のパルス信号発生器７の出力信号を制御パルスとして、図３（ｆ）に示すようにＤＣレベルでクランプされた信号を出力する。
【００１６】
ここで、第２のパルス信号発生器６の出力信号により、第１のゲート回路５が開放している場合は、第２のゲート回路３の出力信号（図３（ｄ））において、第１のパルス信号発生器４の出力によって同期信号分離回路２の出力信号の立ち上がりまたは立ち下がりから第１の所定幅の期間、同期信号分離回路２の出力信号を制限する。
【００１７】
また、第２のゲート回路３の出力において、第２のパルス信号発生器６の出力信号により第１のゲート回路５が閉鎖している場合は、第１のパルス信号発生器４の出力信号によって同期信号分離回路２の出力を制限することを禁止することにより、同期信号分離回路２の出力信号である同期信号から特殊信号の擬似同期信号に相当する部分の分離同期信号を除いた信号が得られる。この信号を第３のパルス信号発生器７に入力して得られる出力信号をクランプ回路１の制御パルスとして使用する。
【００１８】
以下、通常の映像信号に特殊信号が挿入された映像信号が入力された場合について説明する。
【００１９】
図３（ａ）に示すように特殊信号が挿入された映像信号が入力された場合、同期信号分離回路２において、図３（ｂ）のように特殊信号の擬似同期信号に対しても同期信号が出力される。この時、第１のゲート回路５が開放している場合、同期分離信号は第１のパルス信号発生器４の出力によって制御されるため、図３（ｄ）のように第２のゲート回路３の出力信号は、擬似同期信号部分の同期信号が除去された信号となる。よって、第３のパルス信号発生器７の出力信号は、図３（ｅ）のように擬似同期信号部分にパルスが発生しない信号となる。これにより特殊信号の擬似同期信号部分はクランプ回路１によってクランプされないため、特殊信号挿入部分のシンクチップレベルの低下を防ぐことができる。
【００２０】
以上のように本実施の形態によれば、特殊信号が挿入されている映像信号に対しても正確なクランプ処理を行うことができ、画面の同期を乱すことはない。
【００２１】
【発明の効果】
以上のように本発明によれば、特殊信号が挿入されている映像信号に対して正確なクランプ処理を行うことができ、画面の同期を乱すことのない映像信号処理装置を提供することができる。
【図面の簡単な説明】
【図１】本発明の実施の形態における映像信号処理装置のブロック図
【図２】本発明の実施の形態における映像信号処理装置の各部の波形図
【図３】本発明の実施の形態における映像信号処理装置の各部の詳細波形図
【図４】従来の映像信号処理装置のブロック図
【図５】従来の映像信号処理装置における各部の波形図
【図６】従来の映像信号処理装置における各部の詳細波形図
【符号の説明】
１  クランプ回路
２  同期信号分離回路
３  第２のゲート回路
４  第１のパルス信号発生器
５  第１のゲート回路
６  第１のパルス信号発生器
７  第３のパルス信号発生器
【図１】
0003633149.tif 000002
【図２】
0003633149.tif 000003
【図３】
0003633149.tif 000004
【図４】
0003633149.tif 000005
【図５】
0003633149.tif 000006
【図６】
0003633149.tif 000007